(57)【要約】  本発明は、生産ライン（１，１’，１ａ，１ｂ）を用いて軸受構成要素を製造する方法であって、生産ライン（１，１’，１ａ，１ｂ）は、少なくとも１つの研削機械（２）と、少なくとも１つのホーニング機械（３）と、少なくとも１つのクリーニングユニット（４）と、少なくとも１つの搬送ユニット（５）とを有し、各軸受構成要素は、少なくとも１つの搬送ユニット（５）により生産ライン（１，１’，１ａ，１ｂ）を通して搬送され、各軸受構成要素の少なくとも１回の研削加工が、少なくとも１つの研削機械（２）により、各軸受構成要素の少なくとも１回のホーニングが、少なくとも１つのホーニング機械（３）により、各軸受構成要素の少なくとも１回のクリーニングが、少なくとも１つのクリーニングユニット（４）内で実施される方法に関する。少なくとも１つの研削機械（２）として立形研削機械（２ａ）を使用し、各軸受構成要素を、一定の一水平面（Ｅ）上に横たえた状態で、生産ライン（１，１’，１ａ，１ｂ）に通す。さらに本発明は、生産ライン（１，１’，１ａ，１ｂ）と、少なくとも２つの生産ライン（１ａ，１ｂ）から構成される生産設備（１００）とに関する。
2018532952.tif 000002
【特許請求の範囲】
【請求項１】
生産ライン（１，１’，１ａ，１ｂ）を用いて軸受構成要素を製造する方法であって、
前記生産ライン（１，１’，１ａ，１ｂ）は、少なくとも１つの研削機械（２）と、少なくとも１つのホーニング機械（３）と、少なくとも１つのクリーニングユニット（４）と、少なくとも１つの搬送ユニット（５）とを有し、各軸受構成要素は、前記少なくとも１つの搬送ユニット（５）により前記生産ライン（１）を通して搬送され、各軸受構成要素の少なくとも１回の研削加工が、前記少なくとも１つの研削機械（２）により、各軸受構成要素の少なくとも１回のホーニングが、前記少なくとも１つのホーニング機械（３）により、各軸受構成要素の少なくとも１回のクリーニングが、前記少なくとも１つのクリーニングユニット（４）内で実施される、方法において、
前記少なくとも１つの研削機械（２）として立形研削機械（２ａ）を使用し、各軸受構成要素を、一定の一水平面（Ｅ）上に横たえた状態で、前記生産ライン（１）に通すことを特徴とする、生産ラインを用いて軸受構成要素を製造する方法。
【請求項２】
前記軸受構成要素は、軸受レース（２０，３０）、特に軸受外レースまたは軸受内レースとして形成され、前記研削加工は、第１の立形研削機械（２ａ）を用いた前記軸受レース（２０，３０）の内面研削のステップを含むことを特徴とする、請求項１記載の方法。
【請求項３】
前記軸受レース（２０，３０）は、軸受内レースとして形成され、前記研削加工は、別の立形研削機械（２ａ）を用いた前記軸受内レースの外面研削のステップをさらに含むことを特徴とする、請求項２記載の方法。
【請求項４】
前記少なくとも１つのホーニング機械（３）を立形ホーニング機械（３ａ）として形成することを特徴とする、請求項１から３までのいずれか１項記載の方法。
【請求項５】
前記生産ライン（１，１’，１ａ，１ｂ）を、少なくとも１つの脱磁ユニット（６）をさらに有して形成し、前記軸受構成要素を、前記研削加工および／または前記ホーニング後、脱磁することを特徴とする、請求項１から４までのいずれか１項記載の方法。
【請求項６】
前記軸受構成要素を、前記ホーニング後および／または前記脱磁後、前記少なくとも１つのクリーニングユニット（４）内でクリーニングすることを特徴とする、請求項１から５までのいずれか１項記載の方法。
【請求項７】
前記生産ライン（１，１’，１ａ，１ｂ）を、少なくとも１つの測定ユニット（７）を有して形成し、前記軸受構成要素を、前記研削加工前および／または前記研削加工後および／または前記ホーニング後、測定することを特徴とする、請求項１から６までのいずれか１項記載の方法。
【請求項８】
前記軸受レース（２０，３０）は、１０〜５００ｍｍの範囲、特に１５〜４６０ｍｍの範囲の直径を有することを特徴とする、請求項２、または請求項２を引用する請求項３から７までのいずれか１項記載の方法。
【請求項９】
軸受構成要素、特に軸受レース（２０，３０）を製造する生産ライン（１，１’，１ａ，１ｂ）であって、
少なくとも１つの研削機械（２）と、
少なくとも１つのホーニング機械（３）と、
少なくとも１つのクリーニングユニット（４）と、
少なくとも１つの搬送ユニット（５）と、
を備え、
前記軸受構成要素は、前記少なくとも１つの搬送ユニット（５）により前記生産ライン（１，１’，１ａ，１ｂ）を通して搬送可能であり、搬送時、前記少なくとも１つの研削機械（２）、前記少なくとも１つのホーニング機械（３）および前記少なくとも１つのクリーニングユニット（４）に供給可能である、生産ライン（１，１’，１ａ，１ｂ）において、
前記少なくとも１つの研削機械（２）は、立形研削機械（２ａ）であり、前記生産ライン（１，１’，１ａ，１ｂ）は、前記軸受構成要素が一定の一水平面（Ｅ）上で前記生産ライン（１，１’，１ａ，１ｂ）を通るように形成されていることを特徴とする生産ライン。
【請求項１０】
前記少なくとも１つのホーニング機械（３）は、立形ホーニング機械（３ａ）であることを特徴とする、請求項８記載の生産ライン。
【請求項１１】
前記軸受構成要素を脱磁する少なくとも１つの脱磁ユニット（６）をさらに備えることを特徴とする、請求項８または請求項９記載の生産ライン。
【請求項１２】
前記軸受構成要素を測定する少なくとも１つの測定ユニット（７）をさらに備えることを特徴とする、請求項９から１１までのいずれか１項記載の生産ライン。
【請求項１３】
請求項９から１２までのいずれか１項記載の少なくとも２つの生産ライン（１，１’，１ａ，１ｂ）と、少なくとも１つの操作通路（１０１）とを備え、各操作通路（１０１）の両側にそれぞれ１つの生産ライン（１ａ，１ｂ）が配置されており、各生産ライン（１ａ，１ｂ）の操作ユニットおよび表示ユニットは、互いに向かい合うように配置されている、生産設備（１００）。
【請求項１４】
前記軸受構成要素は、両生産ライン（１ａ，１ｂ）を同じ前記水平面（Ｅ）上で通る、請求項１３記載の生産設備。
【請求項１５】
各操作通路（１０１）は、０．７５〜１．５ｍの範囲の幅を有する、請求項１３または請求項１４記載の生産設備。
【請求項１６】
少なくとも１つの組み立てステーション（９）をさらに備え、前記組み立てステーション（９）は、前記少なくとも２つの生産ライン（１ａ，１ｂ）に後続して、前記少なくとも２つの生産ライン（１ａ，１ｂ）に連結されており、前記生産ライン（１ａ，１ｂ）由来の前記軸受構成要素を有する転がり軸受または滑り軸受（４０）を最終組み立てするように構成されている、請求項１３から１５までのいずれか１項記載の生産設備。
【発明の詳細な説明】
【技術分野】
【０００１】
本発明は、生産ラインを用いて軸受構成要素を製造する方法であって、生産ラインは、少なくとも１つの研削機械と、少なくとも１つのホーニング機械と、少なくとも１つのクリーニングユニットと、少なくとも１つの搬送ユニットとを有し、各軸受構成要素は、少なくとも１つの搬送ユニットにより生産ラインを通して搬送され、各軸受構成要素の少なくとも１回の研削加工が、少なくとも１つの研削機械により、各軸受構成要素の少なくとも１回のホーニングが、少なくとも１つのホーニング機械により、各軸受構成要素の少なくとも１回のクリーニングが、少なくとも１つのクリーニングユニット内で実施される方法に関する。さらに本発明は、軸受構成要素を製造する生産ラインであって、少なくとも１つの研削機械と、少なくとも１つのホーニング機械と、少なくとも１つのクリーニングユニットと、少なくとも１つの搬送ユニットとを備え、軸受構成要素は、少なくとも１つの搬送ユニットにより生産ラインを通して搬送可能であり、搬送時、少なくとも１つの研削機械、少なくとも１つのホーニング機械および少なくとも１つのクリーニングユニットに供給可能である生産ラインに関する。さらに本発明は、２つのこの種の生産ラインを備える生産設備に関する。
【背景技術】
【０００２】
上述の形態の方法および生産ラインは、既に公知であり、例えば軸受レースの形態の軸受構成要素を製造するのに用いられる。その際、生産ライン内の個々のステーション、例えば研削機械、ホーニング機械、クリーニングユニット等は、以下に略して生産ユニットと称する。その際、軸受構成要素は、生産ユニット内で処理され、次の生産ユニットに引き渡される。このとき、搬送ユニットが、例えば軸受構成要素を生産ユニットに供給し、軸受構成要素を生産ユニットに引き渡すこと、かつ／または軸受構成要素を生産ユニットから受け取り、軸受構成要素を搬送し、軸受構成要素を、生産ライン内の後続の生産ユニットに引き渡すことを担う。さらに、生産ユニットを通した軸受構成要素の搬送も、少なくとも１つの搬送ユニットにより実施することができる。これにより、搬送ユニットは、生産ユニットの構成部分であってもよいし、別体のユニットとして形成されていてもよい。一般的には、様々な構造形態のものがあり様々な役割を果たさねばならない生産ユニットが複数、生産ライン内で互いに接続される。このことは、寸法が互いに異なっていて、軸受構成要素のための供給平面および排出平面が互いに異なっていて、さらには軸受構成要素の通走時間が互いに異なっている複数の生産ユニットが、直列に接続されねばならないことを意味する。生産ラインを組む際にこのことから生じる問題は、一般に、少なくとも１つの搬送ユニットが、特に、互いに連結された連続する生産ユニット間の高低差の橋渡しをし、軸受構成要素を、後続の生産ユニットのために必要とされる姿勢へと、例えば裏返したり、回転させたり、傾倒させたりなどすることによってもたらすとともに、引き続きすぐには処理できない軸受構成要素のためのバッファを提供するように構成され、使用されることによって解決される。生産ライン内での軸受構成要素のこの取り回しは、手間またはコストを要し、さらには、軸受構成要素が絶えず機械的干渉を被ることを意味する。そのため、軸受構成要素は、例えばグリッパにより把持されたり、ランプ上を転動されたり、シュート上を滑動されたり、リフト装置内で上方に搬送されたりなどすることによって、互いに接触したり衝突したりしてしまう。
【０００３】
このような方法では、軸受構成要素の表面品質および寸法安定性または達成可能な公差の面で影響があることが判っている。
【発明の概要】
【発明が解決しようとする課題】
【０００４】
それゆえ、本発明の課題は、この点について改善された、生産ラインを用いて軸受構成要素を製造する方法を提供することである。さらに、本発明の課題は、寸法安定性の高い軸受構成要素を製造する生産ラインまたは生産設備を提供することである。
【課題を解決するための手段】
【０００５】
上記課題は、生産ラインを用いて軸受構成要素を製造する方法であって、生産ラインは、少なくとも１つの研削機械と、少なくとも１つのホーニング機械と、少なくとも１つのクリーニングユニットと、少なくとも１つの搬送ユニットとを有し、各軸受構成要素は、少なくとも１つの搬送ユニットにより生産ラインを通して搬送され、各軸受構成要素の少なくとも１回の研削加工が、少なくとも１つの研削機械により、各軸受構成要素の少なくとも１回のホーニングが、少なくとも１つのホーニング機械により、各軸受構成要素の少なくとも１回のクリーニングが、少なくとも１つのクリーニングユニット内で実施される方法において、少なくとも１つの研削機械として立形研削機械を使用し、各軸受構成要素を、一定の一水平面上に横たえた状態で、生産ラインに通すことによって解決される。
【０００６】
上記課題は、軸受構成要素、特に軸受レースを製造する生産ラインであって、少なくとも１つの研削機械と、少なくとも１つのホーニング機械と、少なくとも１つのクリーニングユニットと、少なくとも１つの搬送ユニットとを備え、軸受構成要素は、少なくとも１つの搬送ユニットにより生産ラインを通して搬送可能であり、搬送時、少なくとも１つの研削機械、少なくとも１つのホーニング機械および少なくとも１つのクリーニングユニットに供給可能である生産ラインにおいて、少なくとも１つの研削機械は、立形研削機械であり、生産ラインは、軸受構成要素が一定の一水平面上で生産ラインを通るように形成されていることによって解決される。
【０００７】
軸受構成要素に作用する機械的干渉の回数が減れば、軸受構成要素の寸法安定性の顕著な改善が達成可能であることが判っている。その際、特に、軸受構成要素を一定の一水平面上で生産ラインを通して搬送することが、得たい寸法安定性と、所望の小さな公差とに関して特に効果的であることが判っている。その際、±１０ｃｍまで、特に±５ｃｍまでの軸受構成要素の重心の高さ位置の移動は、なおも一定の一水平面内での搬送と見なされる。ただし、このためには、このような方法も可能にする生産ユニットが使用されねばならない。本発明において、少なくとも１つの研削機械が立形研削機械により提供されることが必要であることが判っている。この種の立形研削機械は、軸受構成要素が一定の一水平面上で生産ラインを通る生産ラインに組み込まれる。軸受構成要素間の接触の減少も達成可能であり、軸受構成要素の寸法安定性および公差にポジティブに作用する。軸受構成要素を一定の水平面上で生産ラインを通して搬送すれば、グリッパ、ランプおよびシュートは、大部分省略可能である。
【０００８】
本発明に係る方法による軸受構成要素、例えば軸受レース、転動体、転がり軸受ケージ等を有して製造される転がり軸受は、小さい軸受公差、高い寸法安定性および特に高い動作静粛性を有する。
【０００９】
その際、軸受構成要素として、特に軸受レース、特に軸受外レースまたは軸受内レースが形成され、研削加工は、第１の立形研削機械を用いた軸受レースの内面研削のステップを含む。軸受レースが、軸受内レースとして形成される場合、研削加工は、好ましくは、別の立形研削機械を用いた軸受内レースの外面研削のステップをさらに含む。その際、製造過程において、特に、軸受内レースにおいて、まず、外面研削による加工（軸受内レースの軌道の研削に相当）を行い、続いて内面研削による加工（軸受内レースの孔の研削に相当）を行う加工手順も可能であるし、まず、内面研削による加工を行い、続いて外面研削による加工を行う加工手順も可能である。その点において、第１の立形研削機械および別の立形研削機械の順番は、生産ライン内で任意に選択可能である。
【００１０】
本方法または本生産ラインの好ましい一構成では、少なくとも１つのホーニング機械は、立形ホーニング機械として形成されている。このような立形ホーニング機械は、立形研削機械を備える生産ライン内に理想的な形で組み込まれ、同じく軸受構成要素を一定の一水平面上で生産ラインを通して搬送することを可能にする。立形研削機械と立形ホーニング機械との間の接続は、好ましくはコンベヤベルトの形態の搬送ユニットを介して形成される。代替的に、ホーニング機械内に組み込まれた搬送ユニットと、立形研削機械内に組み込まれた別の搬送ユニットとが、これらの生産ユニットを接続するために使用されてもよい。
【００１１】
好ましくは、本方法で使用される生産ラインは、少なくとも１つの脱磁ユニットをさらに有して形成され、軸受構成要素は、研削加工および／またはホーニング後、脱磁される。したがって生産ラインは、好ましくは、軸受構成要素を脱磁する少なくとも１つの脱磁ユニットをさらに有する。脱磁ステップは、加工された軸受構成要素を徹底的にクリーニングし、付着した金属の粒子または切り屑を取り除くことを可能にする。
【００１２】
軸受構成要素は、好ましくはホーニング後および／または脱磁後、少なくとも１つのクリーニングユニット内でクリーニングされる。これは、軸受構成要素を清浄化するために用いられ、このとき、付着した金属の粒子または切り屑、潤滑油、切削剤、汚れ等の除去が実施される。その際、クリーニングユニットは、好ましくは、洗浄ユニットおよび／またはガス噴射クリーニング設備を有する。
【００１３】
本方法で使用される生産ラインは、特に、少なくとも１つの測定ユニットを有して形成され、軸受構成要素は、研削加工前および／または研削加工後および／またはホーニング後、測定される。したがって生産ラインは、好ましくは、軸受構成要素を測定する少なくとも１つの測定ユニットをさらに有する。この種の測定ユニット、特に立形研削機械の下流に配置される測定ユニットは、後続の生産ユニットのパラメータへの制御介入と、特に高い寸法安定性の達成とを可能にする。
【００１４】
生産ライン内で使用される生産ユニットの順番は、決まったものではなく、必要に応じて選択可能である。そのため、特に下記の順序で生産ユニットは存在し得るが、これらは例にすぎない：
ａ）第１の立形研削機械−少なくとも１つの別の立形研削機械−立形ホーニング機械−測定ユニット−脱磁ユニット−クリーニングユニット
ｂ）第１の立形研削機械−少なくとも１つの別の立形研削機械−測定ユニット−立形ホーニング機械−測定ユニット−別の立形ホーニング機械−脱磁ユニット−クリーニングユニット
ｃ）クリーニングユニット−立形研削機械−立形ホーニング機械−クリーニングユニット−測定ユニット−脱磁ユニット−クリーニングユニット。
【００１５】
多数の別の有意義な順序が、上述の生産ユニットの使用下で可能であり、生産ユニット間の引き渡しは、別体のかつ／または生産ユニット内に組み込まれた単数または複数の搬送ユニットを介して実施可能である。
【００１６】
軸受レースの形態の軸受構成要素は、好ましくは、１０〜５００ｍｍの範囲、特に１５〜４６０ｍｍの範囲の直径を有して製造される。
【００１７】
本発明に係る方法および本発明に係る生産ラインには、別の生産ユニットが含まれていてもよい。別の生産ユニットの例は、好ましくは、以下のユニットの少なくとも１つである：フライス機械、旋削機械、ラップ機械、ボール機械、パンチユニット、プレスユニット、熱処理ユニット、乾燥ユニット、自動式の供給ユニットおよび／または少なくとも１つの自動式の包装ユニット、自動式の測定ユニットおよび制御ユニット。
【００１８】
少なくとも２つの本発明に係る生産ラインと、少なくとも１つの操作通路とを備え、各操作通路の両側にそれぞれ１つの生産ラインが配置されており、各生産ラインの操作ユニットおよび表示ユニットは、互いに向かい合うように配置されている生産設備は、実証されている。
【００１９】
生産設備が、軸受内レースを生産する第１の生産ラインと、軸受外レースを生産する第２の生産ラインとを備える場合、各生産ラインの端部において、それぞれ１つの軸受内レースと軸受外レースとが直接引き合わされ、次いで完全な転がり軸受または滑り軸受の組み立てを実施することができる。
【００２０】
特に軸受構成要素は、生産設備の両生産ラインを同じ水平面Ｅ上で通る。このことは、異なる生産ラインから出た加工し終えた軸受構成要素を上述のように引き合わせることを容易にする。
【００２１】
生産設備内では、各操作通路が０．７５〜１．５ｍの範囲の幅を有しているとき、実証されている。
【００２２】
特に生産設備が、少なくとも１つの組み立てステーションをさらに備え、組み立てステーションが、少なくとも２つの生産ラインに後続して、これら少なくとも２つの生産ラインに連結されており、生産ライン由来の軸受構成要素を有する転がり軸受または滑り軸受を最終組み立てするように構成されていると、有利である。生産された軸受構成要素の中間貯蔵は省略され、ひいては、例えば中間貯蔵部またはバッファにおいて必要な機械的干渉、例えば完成した軸受構成要素同士の接触によって、生産された軸受構成要素の寸法安定性が再び損なわれる危険もなくなる。
【００２３】
図１ないし６は、本発明に係る方法ならびに本発明に係る生産ラインおよび生産設備を例示するものである。
【図面の簡単な説明】
【００２４】
【図１】生産ラインの正面図である。
【図２】立形研削機械の部分概略図である。
【図３】立形研削機械の研削装置内での軸受構成要素の加工を示す図である。
【図４】搬送ユニットを有する生産ユニットを示す図である。
【図５】図４に示した生産ユニットが３つ連結された別の生産ラインを示す図である。
【図６】２つの生産ラインを備える生産設備を示す図である。
【発明を実施するための形態】
【００２５】
図１は、軸受構成要素、特に軸受レース２０を製造する生産ライン１を正面図で示しており、生産ライン１は、研削機械２、ホーニング機械３、クリーニングユニット４および搬送ユニット５を備える。さらに、ホーニング機械３とクリーニングユニット４との間には、測定ユニット７および脱磁ユニット６が存在している。軸受構成要素は、搬送ユニット５により生産ライン１を通して搬送され、搬送時、相前後して研削機械２、ホーニング機械３、測定ユニット７、脱磁ユニット６およびクリーニングユニット４に供給される。本発明では、研削機械２は、立形研削機械２ａとして形成されている。ホーニング機械３は、本実施の形態では、立形ホーニング機械３ａとして形成されている。さらに、生産ライン１は、軸受構成要素が、一定の一水平面Ｅ上に横たわった状態で、生産ライン１を通るように形成されている。搬送ユニット５は、コンベヤベルトとして構成されており、互いに直接接続されて、加工すべき軸受構成要素を水平面Ｅ内で生産ライン１を通して搬送すべく構成されている。このとき、生産ライン１内では、生産ユニット内に組み込まれた搬送ユニット５および／または別体の搬送ユニット５が使用されてもよい。
【００２６】
以下に説明する図２ないし６において、同じ符号は同じ要素を指している。
【００２７】
図２は、例示的な立形研削機械２ａの部分概略図であり、立形研削機械２ａは、複数の工具軸Ｂ１，Ｃ１，Ｗ１，Ｘ１，Ｚ１と、１つの工具スピンドル８と、軸受構成要素をフレキシブルに研削加工する２つの研削スピンドルとを有する。
【００２８】
図３は、軸受レース２０の形態の軸受構成要素を立形研削機械２ａ内で研削装置２ａ’を用いて加工する様子を平面図で示している。軸受レース２０は、搬送ユニット５上に横たわった状態で矢印方向に搬送され、図示しないスライダを介して研削装置２ａ’に横たわった状態で供給され、研削装置２ａ’により横たわった姿勢で研削される。研削プロセスの終了後、研削済みの軸受レース２０’は、横たわった状態で搬送ユニット５に引き渡され、横たわった状態でさらに搬送される。研削加工の経過中、軸受レース２０，２０’の回転または傾倒は、行われない。
【００２９】
図４は、生産ライン１用の好ましい生産ユニット１０を３次元図で示している。このような生産ユニット１０は、研削機械２、ホーニング機械３、クリーニングユニット４、測定ユニット７または脱磁ユニット６であり得る。生産ユニット１０は、コンベヤベルトの形態の組み込まれた搬送ユニット５を有し、搬送ユニット５上では、軸受構成要素、ここでは軸受レース２０を、一水平面Ｅ上に横たわった状態で生産ユニット１０を通して搬送することができる。
【００３０】
図５は、別の生産ライン１’を示しており、この生産ライン１’は、立形研削機械２ａ、立形ホーニング機械３ａおよびクリーニングユニット４の形態の、図４に示した生産ユニット１０を３つ連結したものを備える。この別の生産ライン１’は、コンベヤベルトの形態の搬送ユニット５を備え、搬送ユニット５上では、軸受構成要素が一水平面Ｅ上に横たわった状態で生産ライン１’を通して搬送することができる。
【００３１】
図６は、生産設備１００の概略平面図であり、この生産設備１００は、２つの生産ライン１ａ，１ｂを備える。両生産ライン１ａ，１ｂは、１つの操作通路１０１に沿って左右に配置されている。このとき、両生産ライン１ａ，１ｂの操作ユニットおよび表示ユニットは、互いに向かい合うように配置されている。操作通路１０１内にいる人は、同時に両生産ライン１ａ，１ｂを見ることができ、場合によっては両生産ライン１ａ，１ｂの制御に介入することができる。さらに図６には、例として、軸受レース２０，３０の形態の加工すべき軸受構成要素を示してある。軸受構成要素は、矢印方向でそれぞれの生産ライン１ａ，１ｂを通して搬送される。本実施の形態では、各生産ライン１ａ，１ｂ内に、例えば立形研削機械２ａ、立形ホーニング機械３ａ、脱磁ユニット６およびクリーニングユニット４が、互いに連結されている。これらの機械またはユニットには、軸受レース２０，３０が搬送ユニット５により、相前後して加工または処理のために供給される。
【００３２】
その際、任意の多数の生産ユニットが互いに連結されていてもよく、異なる生産ユニットおよび／または同じ生産ユニットが、個々の生産ラインに存在していてもよい。複数の立形研削機械および／または立形ホーニング機械が並列に配置され、個々の、場合によってはより高速で作業する後続の生産ユニットに接続されていてもよい。また、操作通路から操作可能な両生産ラインが、構成部材の搬送方向で見て同じに形成されている必要もなければ、両生産ラインにより加工される軸受構成要素が、同じまたは類似である必要もない。
【００３３】
複数の操作通路が存在している場合、これらの操作通路は、好ましくは平行に方向付けられており、例えば図６に示した生産設備が２つ、隣り合って配置されている。この場合、生産ユニットの、操作通路１０１から背離した側は、それぞれ、好ましくは、平行した別の操作通路に割り当てられた生産ユニットの、この別の操作通路から背離した側に隣接することになる。
【００３４】
両生産ライン１ａ，１ｂの下流には、組み立てユニット９が存在しており、組み立てユニット９には、加工し終えた軸受レース２０，３０が供給される。組み立てユニット９内では、軸受レース２０，３０の組み立てが実施され、完成した転がり軸受または滑り軸受４０が形成される。その際、軸受内レース、軸受外レース、転がり軸受ケージおよび転動体の形態の軸受構成要素用のそれぞれ１つの生産ラインが存在していてもよく、これらすべては、少なくとも１つの後続の組み立てユニット９に連結されており、これにより、組み立てユニット９内で、これらの軸受構成要素から、転がり軸受または滑り軸受４０を完全に組み立て、完成させることができる。
【符号の説明】
【００３５】
１，１’，１ａ，１ｂ  生産ライン
２  研削機械
２ａ  立形研削機械
２ａ’  立形研削機械の研削装置
３  ホーニング機械
３ａ  立形ホーニング機械
４  クリーニングユニット
５  搬送ユニット
６  脱磁ユニット
７  測定ユニット
８  工具スピンドル
９  組み立てユニット
１０  生産ユニット
２０，３０  軸受レース
２０’  研削済みの軸受レース
４０  転がり軸受または滑り軸受
１００  生産設備
１０１  操作通路
Ｂ１，Ｃ１，Ｘ１，Ｗ１，Ｚ１  工具軸
Ｅ  水平面
【図１】
2018532952.tif 000003
【図２】
2018532952.tif 000004
【図３】
2018532952.tif 000005
【図４】
2018532952.tif 000006
【図５】
2018532952.tif 000007
【図６】
2018532952.tif 000008
【国際調査報告】
2018532952.tif 000009
2018532952.tif 000010
2018532952.tif 000011
2018532952.tif 000012
2018532952.tif 000013
2018532952.tif 000014